(57)【要約】【課題】下着などの被服に空気パッドを用いることで、胸筋、上腕二頭筋などを豊かにし、より美しい体形となるような空気パッドを用いた被服を提供する。【解決手段】男性用機能性下着１００は、下着１０と空気パッド２０を有しており、下着１０は、胸筋と対向する部分に、胸筋用ポケット１１ａを有している。胸筋用空気パッド２０ａは、空気が入っている状態で、胸筋用ポケット１１ａに挿入される。男性用機能性下着１００は、胸筋用ポケット１１ａに、空気が入っている胸筋用空気パッド２０ａが挿入されている状態で、人体に着衣することにより、胸筋の部分が豊かで美的なものになる。このように胸筋、上腕二頭筋などを豊かにし、より美しい体形となることができることにより、例えば、体形が痩せており貧弱な男性のコンプレックスを解消することができるという顕著な効果も有する。【選択図】図１
0003218887.tif 000002
【実用新案登録請求の範囲】
【請求項１】
被服と空気パッドを有し、
前記被服は、前部である前見頃及び後部である後見頃を有し、前記前身頃及び後見頃が一体的に形成されており、
前記前身頃は、胸筋と対向する部分に、一対の胸筋用ポケットを有し、
前記空気パッドは、一対の胸筋用空気パッドであり、
前記一対の胸筋用空気パッドは、それぞれに空気が入ることで、前記胸筋の部分が、豊かになるような形状に形成されており、
前記一対の胸筋用空気パッドのそれぞれは、前記空気が入っている状態で、前記一対の胸筋用ポケットのそれぞれに挿入されるように形成され、または、前記空気が入っていない状態で、前記一対の胸筋用ポケットのそれぞれに挿入され、前記空気を入れるように形成されており、
前記一対の胸筋用ポケットのそれぞれに、前記空気が入っている前記一対の胸筋用空気パッドのそれぞれが、挿入されている状態で、着衣することにより、前記胸筋の部分が豊かになることを特徴とする空気パッドを用いた被服。
【請求項２】
前記被服は、袖を有しており、
前記袖は、上腕二頭筋と対向する部分に、一対の上腕二頭筋用ポケットを有し、
前記空気パッドは、一対の上腕二頭筋用空気パッドであり、
前記一対の上腕二頭筋用空気パッドは、それぞれに空気が入ることで、前記上腕二頭筋の部分が、豊かになるような形状に形成されており、
前記一対の上腕二頭筋用空気パッドのそれぞれは、前記空気が入っている状態で、前記一対の上腕二頭筋用ポケットのそれぞれに、挿入されるように形成され、または、前記空気が入っていない状態で、前記一対の上腕二頭筋用ポケットのそれぞれに挿入され、前記空気を入れるように形成されており、
前記一対の上腕二頭筋用ポケットのそれぞれに、前記空気が入っている前記一対の上腕二頭筋用空気パッドのそれぞれが、挿入されている状態で、着衣することにより、前記上腕二頭筋の部分が豊かな状態になることを特徴とする請求項１に記載の空気パッドを用いた被服。
【請求項３】
前記被服は、男性用機能性下着であることを特徴とする請求項１または請求項２に記載の空気パッドを用いた被服。
【請求項４】
前記空気パッドは、ポンプ部を有し、
前記ポンプ部を、連続的に押圧することで、前記空気パッドの内部に空気を入れることを特徴とする請求項１から請求項３のいずれかに記載の空気パッドを用いた被服。
【考案の詳細な説明】
【技術分野】
【０００１】
本考案は、空気パッドを用いた被服に関する。
【背景技術】
【０００２】
被服は、着装の目的で人体の胴、腕などの各部をおおい包むものであり、例えば、着心地が柔らかで伸縮性のあるフライス編みのシャツ、夏用に冷感素材を使ったもの、冬用に発熱素材を使ったものなど機能性を有するものが普及している。また、上半身に装着するアンダーシャツなどの下着は、様々な形状、デザインを有するものが製造され販売されている。
【考案の概要】
【考案が解決しようとする課題】
【０００３】
上記のとおり、被服、例えば、男性用の下着において機能性を有するものが開発されているが、多くは着心地を対象にしており、体形の美しさを求めたものではなく、特に、体形が痩せており貧弱な男性のコンプレックスを解消することができる下着などの被服が求められていた。
【０００４】
本考案は、こうした点に鑑みてなされたものであり、下着などの被服に空気パッドを用いることで、胸筋、上腕二頭筋などを豊かにし、より美しい体形となるような空気パッドを用いた被服を提供する。
【課題を解決するための手段】
【０００５】
上記課題を解決するために、本考案に係る空気パッドを用いた被服は、被服と空気パッドを有し、前記被服は、前部である前見頃及び後部である後見頃を有し、前記前身頃及び後見頃が一体的に形成されており、前記前身頃は、胸筋と対向する部分に、一対の胸筋用ポケットを有し、前記空気パッドは、一対の胸筋用空気パッドであり、前記一対の胸筋用空気パッドは、それぞれに空気が入ることで、前記胸筋の部分が、豊かになるような形状に形成されており、前記一対の胸筋用空気パッドのそれぞれは、前記空気が入っている状態で、前記一対の胸筋用ポケットのそれぞれに挿入されるように形成され、または、前記空気が入っていない状態で、前記一対の胸筋用ポケットのそれぞれに挿入され、前記空気を入れるように形成されており、前記一対の胸筋用ポケットのそれぞれに、前記空気が入っている前記一対の胸筋用空気パッドのそれぞれが、挿入されている状態で、着衣することにより、前記胸筋の部分が豊かなになることを特徴とする。
【０００６】
本考案に係る空気パッドを用いた被服の態様について、前記被服は、袖を有しており、前記袖は、上腕二頭筋と対向する部分に、一対の上腕二頭筋用ポケットを有し、前記空気パッドは、一対の上腕二頭筋用空気パッドであり、前記一対の上腕二頭筋用空気パッドは、それぞれに空気が入ることで、前記上腕二頭筋の部分が、豊かになるような形状に形成されており、前記一対の上腕二頭筋用空気パッドのそれぞれは、前記空気が入っている状態で、前記一対の上腕二頭筋用ポケットのそれぞれに、挿入されるように形成され、または、前記空気が入っていない状態で、前記一対の上腕二頭筋用ポケットのそれぞれに挿入され、前記空気を入れるように形成されており、前記一対の上腕二頭筋用ポケットのそれぞれに、前記空気が入っている前記一対の上腕二頭筋用空気パッドのそれぞれが、挿入されている状態で、着衣することにより、前記上腕二頭筋の部分が豊かな状態になることが好ましい。
【０００７】
本考案に係る空気パッドを用いた被服の態様について、前記被服は、男性用機能性下着であることが好ましい。
【０００８】
本考案に係る空気パッドを用いた被服の態様について、前記空気パッドは、ポンプ部を有し、前記ポンプ部を、連続的に押圧することで、前記空気パッドの内部に空気が入ることが好ましい。
【考案の効果】
【０００９】
本考案によれば、下着などの被服に空気パッドを用いることで、胸筋、上腕二頭筋などを豊かにし、より美しい体形となるような空気パッドを用いた被服を提供することができる。
【図面の簡単な説明】
【００１０】
【図１】実施形態の空気パッドを用いた被服の一例である男性用機能性下着を示す模式図である。
【図２】実施形態の空気パッドを用いた被服の一例である男性用機能性下着の使用の一例を示す参考図である。
【考案を実施するための形態】
【００１１】
以下、本考案の空気パッドを用いた被服の実施形態を、図１及び図２を用いて説明する。
【００１２】
図１は、空気パッドを用いた被服の一例である男性用機能性下着１００を説明する図であり、図１（ａ）は、本考案に用いる被服の一例である下着１０を示す模式図である。図１（ｂ）は、空気パッド２０を上から見た一例を示す模式図である。図１（ｃ）は、空気パッド２０を横から見た一例を示す模式図であり、空気が入っていない状態から空気が入っている状態を示している。図１（ｄ）は、下着１０に空気パッド２０が下着１０に装着されている男性用機能性下着１００を示す模式図である。図２は、男性用機能性下着１００の使用の一例を示す参考図である。なお、男性用機能性下着１００は、本考案の被服の一例であり、これに限定されず適宜最適な被服に本考案を採用すればよい。以下、男性用機能性下着１００について説明する。
【００１３】
男性用機能性下着１００は、下着１０と空気パッド２０を有している。下着１０は、前部である前見頃１１と後部である後見頃を有し、前身頃１１と後見頃が一体的に形成されている。
【００１４】
前身頃１１は、胸筋と対向する部分に、一対の胸筋用ポケット１１ａを有している。また、空気パッド２０は、一対の胸筋用空気パッド２０ａで構成されており、これらの一対の胸筋用空気パッド２０ａは、一対のそれぞれに空気が入ることで、胸筋の部分が、豊かになるような形状に形成されている。
【００１５】
一対の胸筋用空気パッド２０ａのそれぞれは、空気が入っている状態で、一対の胸筋用ポケット１１ａのそれぞれに挿入されるように形成されている。また、空気が入っていない状態で、一対の胸筋用ポケット１１ａのそれぞれに挿入され、前記空気を入れるように形成されている。すなわち、胸筋用空気パッド２０ａは、空気が入っている状態で胸筋用ポケット１１ａに挿入してもよく、また、空気が入っていない状態で胸筋用ポケット１１ａに挿入してから空気を入れてもよいということである。
【００１６】
上記の構成を有する男性用機能性下着１００は、一対の胸筋用ポケット１１ａのそれぞれに、空気が入っている一対の胸筋用空気パッド２０ａのそれぞれが挿入されている状態で、人体に着衣することにより、胸筋の部分が豊かで美的なものになるという顕著な効果を有している。
【００１７】
この例において、空気パッド２０は、ポンプ部２１を有し、このポンプ部２１を、連続的に押圧することで、空気パッドの内部に空気が入り、上記の胸筋の部分が豊かになるような形状にすることができる。なお、このポンプ部２１は一例であり、限定されず適宜最適な機能を用いればよい。
【００１８】
次に、被服の一例である下着１０が、袖１２を有している場合おいて、この袖１２の部分の上腕二頭筋と対向する部分に、一対の上腕二頭筋用ポケット１２ａを有してもよい。
【００１９】
空気パッド２０は、この例において、一対の上腕二頭筋用空気パッド２０ｂであり、一対の上腕二頭筋用空気パッド２０ｂは、それぞれに空気が入ることで、上腕二頭筋の部分が、豊かに形成されている。
【００２０】
一対の上腕二頭筋用空気パッド２０ｂのそれぞれは、空気が入っている状態で、一対の上腕二頭筋用ポケット１２ａのそれぞれに、挿入されるように形成されている。また、空気が入っていない状態で、一対の上腕二頭筋用ポケット１２ａのそれぞれに挿入され、前記空気を入れるように形成されている。
【００２１】
上記の構成を有する男性用機能性下着１００は、一対の上腕二頭筋用ポケット１２ａのそれぞれに、空気が入っている一対の上腕二頭筋用空気パッド２０ｂのそれぞれが、挿入されている状態で、人体に着衣することにより、上腕二頭筋の部分が豊かで美的なものになるという顕著な効果を有している。
【００２２】
上記の特徴を有する被服の一例である男性用機能性下着１００は、下着１０などの被服に空気パッド２０を用いることで、胸筋、上腕二頭筋などを豊かにし、より美しい体形となるような空気パッドを用いた被服を提供することができ、特に、体形が痩せており貧弱な男性のコンプレックスを解消することができる顕著な効果を有するものである。
【００２３】
以上、本考案の有する特徴及び優れた点を上記実施形態に記載したが、本考案は、本願の実用新案登録請求の範囲で使用されている言葉を広く一般的な意味に拡張して実施することができる。
【００２４】
また、本考案の男性用機能性下着は、大きさや形状、素材の種類、厚さ、重さなどについては多様な実施形態が可能であり、それらについて本実施形態と異なる形態による実施は、本考案の技術的範囲に含まれる。
【符号の説明】
【００２５】
１００  男性用機能性下着
１０    下着
１１    前見頃
１１ａ  胸筋用ポケット
１２    袖
１２ａ  上腕二頭筋用ポケット
２０    空気パッド
２０ａ  胸筋用空気パッド
２０ｂ  上腕二頭筋用空気パッド
２１    ポンプ部
【図１】
0003218887.tif 000003
【図２】
0003218887.tif 000004